(57)【特許請求の範囲】
【請求項１】
上下軸方向に所定の間隔で孔付きのフランジが固定され、順次継ぎ足しが可能となる縦柱を足場板の架設間隔で立設し、水平材の一端側に斜材を該水平材に沿う状態から角度可変に枢止して形成された手摺り筋交いを、先ず、水平材の両端をフランジの孔に結合して隣接する縦柱間に架設し、この後、斜材の下端を一方縦柱のフランジの孔に結合して隣接する縦柱間に斜めに架設することにより、上部継ぎ足し縦柱への足場板の架設前に先行して上部継ぎ足し縦柱間に手摺り筋交いを取り付けることを特徴とする仮設構造物の構築方法。
【請求項２】
上下軸方向に所定の間隔でホルダーが固定され、順次継ぎ足しが可能となる縦柱を足場板の架設間隔で立設し、水平材の一端側に斜材を該水平材に沿う状態から角度可変に枢止して形成された手摺り筋交いを、先ず、水平材の両端をホルダーに結合して隣接する縦柱間に架設し、この後、斜材の下端を一方縦柱のホルダーに結合して隣接する縦柱間に斜めに架設することにより、上部継ぎ足し縦柱への足場板の架設前に先行して上部継ぎ足し縦柱間に手摺り筋交いを取り付けることを特徴とする仮設構造物の構築方法。
【請求項３】
順次継ぎ足しが可能で、上下軸方向に所定の間隔で孔付きのフランジが固定され、足場板の架設間隔で立設した縦柱間に取り付けるための手摺り筋交いであり、水平材の一端側に斜材を該水平材に沿う状態から角度可変に枢止して形成され、上記水平材の一端側に、フランジの孔に上部からの抜き差しが自在となる挿入片を設け、この水平材の他端側に、フランジの孔に上部からの抜き差しが自在となり、縦柱に対する水平材の直交配置でフランジに抜け止め係合する係止フックを固定し、上記斜材の一端側に、フランジの孔に対する挿入片の挿入を許容し、縦柱に対する斜材の設定角度の傾斜でフランジに対して挿入片の抜け止め方向に係合する抜け止め係合部を設け、この斜材の他端側に、フランジに対する上下からの外接金具を固定し、この外接金具にフランジと外接金具の結合具を組み合わせた手摺り筋交い。
【請求項４】
順次継ぎ足しが可能で、上下軸方向に所定の間隔でホルダーが固定され、足場板の架設間隔で立設した縦柱間に取り付けるための手摺り筋交いであり、水平材の一端側に斜材を該水平材に沿う状態から角度可変に枢止して形成され、この斜材の一端側に、ホルダー内へ上部からの抜き差しが自在となり、縦柱に対する斜材の設定角度の傾斜でホルダーに抜け止め係合する係止部材を固定し、上記水平材の他端側に、ホルダー内へ上部からの抜き差しが自在となり、縦柱に対する水平材の直交配置でホルダーに抜け止め係合する係止部材を固定し、上記斜材の他端側に、ホルダーに対する上下からの外接金具を固定し、この外接金具にホルダーと外接金具の結合具を組み合わせた手摺り筋交い。
【請求項５】
縦柱に孔付きのフランジを固定し、水平材の端部にフランジの孔に上部から抜き差しが自在に係止する係止フックを固定し、この係止フックに、上記孔への差し込み爪と、この差し込み爪の内側に位置して下縁が開放し、フランジ周縁に対して嵌合する切り欠きとを、縦柱に対する水平材の直交状態で差し込み爪が孔に対して抜け止め状に係合する傾斜状に設けた縦柱と水平材の結合構造。
【請求項６】
縦柱に孔付きのフランジを固定し、水平材の端部にフランジ上へ載置する接続部材を固定し、この接続部材にフランジの孔に上部から抜き差しが自在に係止する下向きの挿入片と、この挿入片の内側に位置して下縁が開放し、フランジ周縁に対して嵌合する切り欠きとを設け、上記接続部材に斜材を角度可変に枢着し、この斜材の枢止側端部に、フランジの孔に対する挿入片の挿入を許容し、縦柱に対する斜材の設定角度の傾斜で切り欠き内に突出し、フランジに対して挿入片の抜け止め方向に係合する抜け止め係合部を設けた縦柱と水平材の結合構造。
【請求項７】
縦柱に上下が開放するホルダーを固定し、水平材の端部にホルダー内へ上部からの抜き差しが自在となる係止部材を固定し、上記係止部材が、縦柱の外面に対する当接部と、この当接部の下縁から水平材の下方に突出して水平材の軸方向内側に向かう傾斜部と、この傾斜部の下端から水平材の長さ方向の内方に屈曲し、縦柱に対する水平材の直交状態でホルダーの下縁に係合する係合片とで形成されている縦柱と水平材の結合構造。
【請求項８】
縦柱に上下が開放するホルダーを固定し、ホルダー上に載置する水平材の端部に斜材を角度可変に枢着し、この斜材の枢止側端部にホルダー内へ上部からの抜き差しが自在となる係止部材を固定し、上記係止部材が、縦柱の外面に対する当接部と、この当接部の下縁から斜材の下方に突出して斜材の軸方向内側に向かう傾斜部と、この傾斜部の下端から斜材の長さ方向の内方に屈曲し、縦柱に対する斜材の設定角度の傾斜でホルダーの下縁に係合する係合片とで形成されている縦柱と水平材の結合構造。
【発明の詳細な説明】
【０００１】
【発明の属する技術分野】
この発明は、建設工事の仮設足場やローリングタワー、室内足場等の多目的な用途に用いることができる仮設構造物の構築方法と、これに用いる手摺り筋交い及び縦柱と水平材の結合構造に関する。
【０００２】
【従来の技術】
従来、各種建物や土木等の建設工事に使用される一般的な仮設枠組足場は、門型や鳥居型の建枠と交差筋交い及び足場板を使用し、対向させた建枠を交差筋交いで結合すると共に、対向する建枠の上部に足場板を架設し、建枠の上方への継ぎ足しと水平方向への建て増しを行なうことにより、所望する高さと平面的な長さを有する足場を構築するものである。
【０００３】
また、簡易な足場としての一側足場は、順次継ぎ足しが可能で、上下軸方向に所定の間隔で孔付きのフランジやホルダーが固定された縦柱を、壁つなぎ等で建物側に固定することにより足場板の架設間隔で立設し、隣接する縦柱を、水平材を用いてフランジやホルダーの部分で結合し、更に、各縦柱の建物側にフランジやホルダーを利用してブラケットを取付け、隣接するブラケット間に足場板を架設することによって構築するものである。
【０００４】
【発明が解決しようとする課題】
ところで、上記従来の枠組足場や一側足場の構築方法では、対向する建枠や縦柱の上部間に架設した足場板の上で上方への継ぎ足し作業を行なうとき、足場板の上部周囲に何も存在しないことになり、このため、高所作業となる足場板上での組み立て作業の安全対策が取れず、墜落のような事故が発生する危険性があるという問題がある。
【０００５】
そこで、この発明の課題は、足場板の上部周囲に先行して安全手摺り枠を配置することができ、高所作業となる足場板上での組み立て作業の安全確保が実現できる仮設構造物の構築方法と、これに用いる手摺り筋交い及び縦柱と水平材の結合構造を提供することにある。
【０００６】
【課題を解決するための手段】
上記のような課題を解決するため、請求項１の発明の方法は、上下軸方向に所定の間隔で孔付きのフランジが固定され、順次継ぎ足しが可能となる縦柱を足場板の架設間隔で立設し、水平材の一端側に斜材を該水平材に沿う状態から角度可変に枢止して形成された手摺り筋交いを、先ず、水平材の両端をフランジの孔に結合して隣接する縦柱間に架設し、この後、斜材の下端を一方縦柱のフランジの孔に結合して隣接する縦柱間に斜めに架設することにより、上部継ぎ足し縦柱への足場板の架設前に先行して上部継ぎ足し縦柱間に手摺り筋交いを取り付ける構成を採用したものである。
【０００７】
請求項２の発明の方法は、上下軸方向に所定の間隔でホルダーが固定され、順次継ぎ足しが可能となる縦柱を足場板の架設間隔で立設し、水平材の一端側に斜材を該水平材に沿う状態から角度可変に枢止して形成された手摺り筋交いを、先ず、水平材の両端をホルダーに結合して隣接する縦柱間に架設し、この後、斜材の下端を一方縦柱のホルダーに結合して隣接する縦柱間に斜めに架設することにより、上部継ぎ足し縦柱への足場板の架設前に先行して上部継ぎ足し縦柱間に手摺り筋交いを取り付ける構成を採用したものである。
【０００８】
請求項３の手摺り筋交いの発明は、順次継ぎ足しが可能で、上下軸方向に所定の間隔で孔付きのフランジが固定され、足場板の架設間隔で立設した縦柱間に取り付けるための手摺り筋交いであり、水平材の一端側に斜材を該水平材に沿う状態から角度可変に枢止して形成され、上記水平材の一端側に、フランジの孔に上部からの抜き差しが自在となる挿入片を設け、この水平材の他端側に、フランジの孔に上部からの抜き差しが自在となり、縦柱に対する水平材の直交配置でフランジに抜け止め係合する係止フックを固定し、上記斜材の一端側に、フランジの孔に対する挿入片の挿入を許容し、縦柱に対する斜材の設定角度の傾斜でフランジに対して挿入片の抜け止め方向に係合する抜け止め係合部を設け、この斜材の他端側に、フランジに対する上下からの外接金具を固定し、この外接金具にフランジと外接金具の結合具を組み合わせた構成を採用したものである。
【０００９】
請求項４の手摺り筋交いの発明は、順次継ぎ足しが可能で、上下軸方向に所定の間隔でホルダーが固定され、足場板の架設間隔で立設した縦柱間に取り付けるための手摺り筋交いであり、水平材の一端側に斜材を該水平材に沿う状態から角度可変に枢止して形成され、この斜材の一端側に、ホルダー内へ上部からの抜き差しが自在となり、縦柱に対する斜材の設定角度の傾斜でホルダーに抜け止め係合する係止部材を固定し、上記水平材の他端側に、ホルダー内へ上部からの抜き差しが自在となり、縦柱に対する水平材の直交配置でホルダーに抜け止め係合する係止部材を固定し、上記斜材の他端側に、ホルダーに対する上下からの外接金具を固定し、この外接金具にホルダーと外接金具の結合具を組み合わせた構成を採用したものである。
【００１０】
上記した各発明における手摺り筋交いは、水平材と斜材に鋼管を用い、水平材は隣接する縦柱間に水平状態で架設することのできる長さを有し、架設せんとする足場板よりも所定高さだけ上方の位置に架設すると共に、また、斜材は、架設した水平材と足場板間の空間に対して斜めに配置され、足場板の架設に先行してその上部側面に手摺りを形成することになる。
【００１１】
請求項５の縦柱と水平材の結合構造の発明は、縦柱に孔付きのフランジを固定し、水平材の端部にフランジの孔に上部から抜き差しが自在に係止する係止フックを固定し、この係止フックに、上記孔への差し込み爪と、この差し込み爪の内側に位置して下縁が開放し、フランジ周縁に対して嵌合する切り欠きとを、縦柱に対する水平材の直交状態で差し込み爪が孔に対して抜け止め状に係合する傾斜状に設けた構成を採用したものである。
【００１２】
請求項６の縦柱と水平材の結合構造の発明は、縦柱に孔付きのフランジを固定し、水平材の端部にフランジ上へ載置する接続部材を固定し、この接続部材にフランジの孔に上部から抜き差しが自在に係止する下向きの挿入片と、この挿入片の内側に位置して下縁が開放し、フランジ周縁に対して嵌合する切り欠きとを設け、上記接続部材に斜材を角度可変に枢着し、この斜材の枢止側端部に、フランジの孔に対する挿入片の挿入を許容し、縦柱に対する斜材の設定角度の傾斜で切り欠き内に突出し、フランジに対して挿入片の抜け止め方向に係合する抜け止め係合部を設けた構成を採用したものである。
【００１３】
請求項７の縦柱と水平材の結合構造の発明は、縦柱に上下が開放するホルダーを固定し、水平材の端部にホルダー内へ上部からの抜き差しが自在となる係止部材を固定し、上記係止部材が、縦柱の外面に対する当接部と、この当接部の下縁から水平材の下方に突出して水平材の軸方向内側に向かう傾斜部と、この傾斜部の下端から水平材の長さ方向の内方に屈曲し、縦柱に対する水平材の直交状態でホルダーの下縁に係合する係合片とで形成されている構成を採用したものである。
【００１４】
請求項８の縦柱と水平材の結合構造の発明は、縦柱に上下が開放するホルダーを固定し、ホルダー上に載置する水平材の端部に斜材を角度可変に枢着し、この斜材の枢止側端部にホルダー内へ上部からの抜き差しが自在となる係止部材を固定し、上記係止部材が、縦柱の外面に対する当接部と、この当接部の下縁から斜材の下方に突出して斜材の軸方向内側に向かう傾斜部と、この傾斜部の下端から斜材の長さ方向の内方に屈曲し、縦柱に対する斜材の設定角度の傾斜でホルダーの下縁に係合する係合片とで形成されている構成を採用したものである。
【００１５】
【発明の実施の形態】
以下、この発明の実施の形態を図示例と共に説明する。
【００１６】
図１乃至図９に示す第１の実施の形態は、縦柱が上下軸方向に所定の間隔で孔付きのフランジが固定されたタイプにおける仮設足場の構築方法と、これに用いる手摺り筋交い及び縦柱と水平材の結合構造を示している。
【００１７】
この仮設足場の基本的な構成部材は、図２乃至図４に示すように、上方に継ぎ足して行く縦柱１と、隣接する縦柱１を互いに結合する手摺り筋交い２と、隣接する縦柱１の間に架設する足場板３と、図示省略したが、縦柱１に足場板３を架設するためのブラケットと、最下位縦柱１の下端を支持するジャッキベースと、縦柱１を建物側に固定するための壁つなぎ等である。
【００１８】
先ず、縦柱１は、所定の直径を有する鋼管を用いて形成され、上端に縦柱１を順次継ぎ足して接続するための小径のジョイントパイプ４が設けられ、この縦柱１には上下軸方向に一定間隔の配置で孔付きのフランジ５が固定されている。ちなみに、縦柱１の高さ寸法は、１８００ｍｍに設定され、足場板３の架設間隔で立設配置されると共に、フランジ５は円形で半径方向に長い四個の孔６が等間隔の配置で設けられている。
【００１９】
上記手摺り筋交い２は、鋼管を用いた水平材７と斜材８の組み合わせからなり、水平材７の一方端部に斜材８の一方端部をピン９で枢止することにより、斜材８を水平材７に沿わせて一本の棒状にした折り畳み状態から、水平材７に対して斜材８を傾斜させることができるようになっている。
【００２０】
上記水平材７には、一端側にフランジ５上へ載置する垂直の板状となる接続部材１０と、他端側にフランジ５の孔６に上部からの抜き差しが自在となり、縦柱１に対する水平材７の直交配置でフランジ５に抜け止め係合する係止フック１１が固定されている。
【００２１】
この接続部材１０は、図５と図７のように、先端下部にフランジ５の孔６へ上部から抜き差しが自在に係止する下向きの挿入片１２と、この挿入片１２の内側に位置して下縁が開放し、フランジ５の周縁に対して嵌合する切り欠き１３とが設けられている。
【００２２】
また、係止フック１１は、図５と図８のように、先端下部に上記孔６への差し込み爪１４と、この差し込み爪１４の内側に位置して下縁が開放し、フランジ５の周縁に対して嵌合する切り欠き１５とを、縦柱１に対する水平材７の直交状態で差し込み爪１４が孔６に対して抜け止め状に係合する傾斜状に設けて形成され、切り欠き１５の上部外コーナ部分には、縦柱１に対する水平材７の直交状態でフランジ５の板厚が嵌合する凹欠部１６が設けられている。
【００２３】
上記水平材７は、接続部材１０の挿入片１２を一方縦柱１のフランジ５の孔６に挿入し、係止フック１１を他方縦柱１のフランジ５の孔６に係止することにより、足場板３の架設間隔で立設配置した縦柱１間に水平状態で架設することができる長さに設定されている。
【００２４】
図８（Ａ）のように、上記係止フック１１のフランジ５の孔６に対する挿入は、差し込み爪１４が垂直になるよう水平材７を傾斜状に保持し、この差し込み爪１４をフランジ５の孔６に差し込んだ後、図８（Ｂ）のように、水平材７を水平にすると、係止フック１１の先端凸部１１ａが縦柱１の外面に当接し、凹欠部１６がフランジ５の外周部に嵌まり、係止フック１１は上方への抜け止め状態になる。
【００２５】
図５と図７のように、上記斜材８の一方端部に係止プレート１７を溶接固定し、この係止プレート１７を接続部材１０の一面側にピン９で枢止することにより、水平材７に対する斜材８の取付けが行われ、係止プレート１７の先端には、接続部材１０の切り欠き１３に対して出没可能となり、フランジ５の孔６に対する挿入片１２の挿入を許容し、水平材７に対する斜材８の設定角度の傾斜でフランジ５に対して挿入片１２の抜け止め方向に係合する抜け止め係合部１８が設けられている。
【００２６】
図７（Ａ）のように、水平材７に対して斜材８を略直角の角度に近づけると、係合部１８は切り欠き１３の外部に移動し、挿入片１２のフランジ５の孔６に対する挿入に支障を与えないと共に、図７（Ｂ）のように、水平材７に対して斜材８を所定の角度に傾斜させると、係合部１８は切り欠き１３に向けて突出し、フランジ５の下面に対して挿入片１２の抜け止め方向に係合することになる。
【００２７】
図６と図９のように、上記斜材８の他方端部に、フランジ５に対する上下からの外接金具１９が固定され、この外接金具１９にフランジ５と外接金具１９の結合具２０が装着されている。この外接金具１９は、金属板を狭いコ字状に折り曲げ、上下に角孔２１が貫通し、斜材８を所定の角度に傾斜させときその先端面１９ａが縦柱１の外面に当接するよう、斜材８の端部に角度をもって溶接固定され、フランジ５に対して外嵌する凹溝２２が先端面で開口するように設けられている。
【００２８】
結合具２０は、角孔２１に上部から挿入するプレート２３に、フランジ５の孔６に対する係止片２４と、この係止片２４の後方に係止片２４よりも長い下向片２５とを設け、係止片２４と下向片２５の間にフランジ５の周縁部に嵌合する凹欠部２６を形成し、プレート２３の上端に角孔２１への落ち込みを防ぐ頭部２７を設け、下向片２５の下端に抜け止めピン２８を設けた構造になっている。
【００２９】
この結合具２０は、図９のように、外接金具１９の凹溝２２をフランジ５に対して外嵌した状態で、同図一点鎖線の位置に引き上げておいた結合具２０を落とし込み、係止片２４を孔６に挿入すれば、フランジ５に対して外接金具１９が抜け止め状に結合されることになる。
【００３０】
次に、上記手摺り筋交い２を用いた一側足場の構築方法を説明する。
【００３１】
先ず、複数の縦柱１を上方に継ぎ足し、これを足場板３の架設間隔で立設配置し、下位の位置において、隣接する縦柱１間に手摺り筋交い２を後述する手順で取付け、縦柱１間の建物側にフランジ５を用いて固定したブラケット間に足場板３を架設する。
【００３２】
次に、図２のように、作業者が足場板３の上に載り、手摺り筋交い２を水平材７と斜材８が略直角の状態になるよう両手で保持し、係止フック１１の差し込み爪１４が垂直になるよう水平材７を傾斜状にし、上位に架設せんとする足場板３よりも上位の位置にあるフランジ５の孔６に差し込み爪１４を上から差し込み、続いて、図３のように、斜材８の下端部を保持して水平材７の一方端部を押し上げるようにしながら、水平材７を略水平にして接続部材１０の挿入片１２を縦柱１のフランジ５の孔６に挿入する。この挿入時に斜材８を水平材７に対して略直角の位相にすれば、フランジ５の孔６に対する挿入片１２の差し込みは支障なく行えることになる。
【００３３】
これにより、水平材７は隣接する縦柱１間に水平の架設状態となり、次に、斜材８の下端部を縦柱１のフランジ５に外接金具１９と結合具２０を用いて固定化する。図２乃至図４の例では、水平材７は上位に架設せんとする足場板３よりも２ピッチ上のフランジ５間に架設し、斜材８の下端部は上位に架設せんとする足場板３と同じ高さ位置のフランジ５に固定する。
【００３４】
水平の架設状態となる水平材７は、図８（Ｂ）のように、係止フック１１がフランジ５の孔６に対して上方に抜け止め状となり、また、図７（Ｂ）のように、斜材８を傾斜状に架設することにより、枢止端の係合部１８は切り欠き１３に向けて突出し、フランジ５に対して挿入片１２の抜け止め方向に係合し、かつ、図９の実線のように、斜材８の下端が外接金具１９と結合具２０でフランジ５に固定化されるので、両側の縦柱１を水平材７と斜材８で結合し、強度の向上が図れることになる。
【００３５】
上記のようにして、両側の縦柱１間に手摺り筋交い２を取り付けた後、図４のように、上位の位置に足場板３を架設する。この足場板３を架設した時点において、すでに足場板３の上部で建物と反対側の側面に手摺り筋交い２が先行して架設されているので、上位の足場板３に載って上方への組み立て作業を行うときの安全性を確保することができる。
【００３６】
両側の縦柱１間に取り付けた手摺り筋交い２は、水平材７が手摺りとなり、斜材８が水平材７と足場板３間の空間を斜めに遮蔽する筋交いとなり、足場板３上からの転落事故の発生を有効に防ぐことになる。
【００３７】
なお、一側足場の解体手順は、上記組み立てと全く逆の工程を行うことによって実施することができる。
【００３８】
図１０乃至図１８の第２の実施の形態は、縦柱１が上下軸方向に所定の間隔でホルダーが固定されたタイプにおける仮設足場の構築方法と、これに用いる手摺り筋交い及び縦柱と水平材の結合構造を示している。
【００３９】
この仮設足場の基本的な構成部材は、図１１乃至図１３に示すように、上方に継ぎ足して行く縦柱１と、隣接する縦柱１を互いに結合する手摺り筋交い３１と、隣接する縦柱１の間に架設する足場板３と、図示省略したが、縦柱１に足場板３を架設するためのブラケットと、最下位縦柱１の下端を支持するジャッキベースと、縦柱１を建物側に固定するための壁つなぎ等である。
【００４０】
先ず、縦柱１は、所定の直径を有する鋼管を用いて形成され、上端に縦柱１を順次継ぎ足して接続するための小径ジョイントパイプが設けられ、この縦柱１には周囲四箇所の位置に固定され、かつ、上下軸方向に一定間隔の配置でホルダー３２が設けられている。ちなみに、縦柱１の高さ寸法は、１８００ｍｍに設定され、足場板３の架設間隔で立設配置されると共に、ホルダー３２は金属板をコ字状に折り曲げて形成され、上下が開放するように溶接固定されている。
【００４１】
上記手摺り筋交い３１は、鋼管を用いた水平材３３と斜材３４の組み合わせからなり、ホルダー３２上に載置する水平材３３の一方端部に斜材３４の一方端部をピン３５で枢止することにより、斜材３４を水平材３３に沿わせて一本の棒状にした折り畳み状態から、水平材３３に対して斜材３４を傾斜させることができるようになっている。
【００４２】
図１４のように、上記斜材３４の一端側に、ホルダー３２内へ上部からの抜き差しが自在となり、縦柱１に対する斜材３４の設定角度の傾斜でホルダー３２に抜け止め係合する係止部材３６を固定し、上記水平材３３の他端側に、ホルダー３２内へ上部からの抜き差しが自在となり、縦柱に対する水平材の直交配置でホルダー３２に抜け止め係合する係止部材３７を固定し、図１５のように、上記斜材３４の他端側に、ホルダー３２に対する上下からの外接金具３８を固定し、この外接金具３８にホルダー３２と外接金具３８の結合具３９が装着されている。
【００４３】
上記斜材３４の一端側に固定した係止部材３６は、図１４と図１６のように、帯状の金属板を用い、斜材３４の傾斜端部に固定され、縦柱１の外面に対する当接部３６ａと、この当接部３６ａの下縁から斜材３４の下方に突出して斜材３４の軸方向内側に向かう傾斜部３６ｂと、この傾斜部３６ｂの下端から斜材３４の長さ方向の内方に屈曲し、縦柱１に対する斜材３４の設定角度の傾斜でホルダー３２の下縁に係合する係合片３６ｃとで形成され、図１６（Ａ）のように、傾斜部３６ｂを垂直にした位相で、係合片３６ｃがホルダー３２の下縁から離脱し、ホルダー３２に対する係止部材３６の抜き差しが上下に行えることになる。
【００４４】
上記水平材３３の他端側に固定した係止部材３７は、図１４と図１７のように、帯状の金属板を用い、水平材３３の端部に直角に固定され、縦柱１の外面に対する当接部３７ａと、この当接部３７ａの下縁から水平材３３の下方に突出して水平材３３の軸方向内側に向かう傾斜部３７ｂと、この傾斜部３７ｂの下端から水平材３３の長さ方向の内方に屈曲し、縦柱１に対する水平材３３の直交状態でホルダー３２の下縁に係合する係合片３７ｃとで形成され、図１７（Ａ）のように、傾斜部３７ｂを垂直にした位相で、係合片３７がホルダー３２の下縁から離脱し、ホルダー３２に対する係止部材３７の抜き差しが行えることになる。
【００４５】
上記斜材３４の他方端部に固定した外接金具３８は、図１５と図１８のように、ホルダー３２に対して上下から外嵌する側面コ字状に形成され、結合具３９は外接金具３８の上孔４０から挿入する係止片４１と、この係止片４１の後方に係止片４１よりも長く、外接金具３８の上孔４０から下孔４０ａにわたって貫通する下向片４２とを設けて形成され、ホルダー３２内に挿入する係止片４１と下向片４２の間にホルダー３２の板厚に嵌合する凹欠部４３を設け、下向片４２の下端に抜け止めピン４４を取付けた構造になっている。
【００４６】
この結合具３９は、外接金具３８をホルダー３２に対して外嵌した状態で、図１８に一点鎖線で示した引き上げ位置の結合具３９を落とし込み、係止片４１をホルダー３２内に挿入すれば、同図実線のように、ホルダー３２に対して外接金具３８が抜け止め状に結合されることになる。
【００４７】
次に、上記手摺り筋交い３１を用いた一側足場の構築方法を説明する。
【００４８】
先ず、複数の縦柱１を上方に継ぎ足し、これを足場板３の架設間隔で立設配置し、下位の位置において、隣接する縦柱１間に手摺り筋交い３１を後述する手順で取付け、縦柱１間の建物側にホルダーを用いて固定したブラケット間に足場板３を架設する。
【００４９】
次に、図１１のように、作業者が足場板３の上に載り、手摺り筋交い３１を水平材３３と斜材３４が略直角の状態になるよう両手で保持し、水平材３３の係止部材３７における傾斜部３７ｂが垂直となるよう水平材３３を傾斜状にし、上位に架設せんとする足場板３よりも上位の位置にあるホルダー３２に係止部材３７を上から差し込み、続いて、図１２のように、斜材３４の下端部を保持して水平材３３の一方端部を押し上げるようにしながら、水平材３３を略水平にして斜材３４の係止部材３６を縦柱１のホルダー３２に挿入する。図１６（Ａ）のように、この挿入時に傾斜部３６ｂが垂直となるよう斜材３４を水平材３３に対して直角に近い位相にすれば、ホルダー３２に対する係止部材３６の差し込みは支障なく行えることになり、図１６（Ｂ）の如く、水平材３３の一方端部はホルダー３２上に載って支持される。
【００５０】
これにより、水平材３３は隣接する縦柱１間に水平の架設状態となり、次に、斜材３４の下端部を縦柱１のホルダー３２に外接金具３８と結合具３９を用いて固定化する。図１１乃至図１３の例では、水平材３３は上位に架設せんとする足場板３よりも２ピッチ上のホルダー３２間に架設し、斜材３４の下端部は上位に架設せんとする足場板３と同じ高さ位置のホルダー３２に固定する。
【００５１】
水平の架設状態となる水平材３３の他端は、図１７（Ｂ）のように、係止部材３７がホルダー３２に対して上方に抜け止め状となり、また、図１６（Ｂ）のように、斜材３４を傾斜状に架設することにより、枢止端の係止部材３６がホルダー３２に対して上方に抜け止め状となり、かつ、図１８のように、斜材３４の下端が外接金具３８と結合具３９でホルダー３２に固定化されるので、両側の縦柱１を水平材３３と斜材３４で結合し、強度の向上が図れることになる。
【００５２】
上記のようにして、両側の縦柱１間に手摺り筋交い３１を取り付けた後、図１３のように、上位の位置に足場板３を架設する。この足場板３を架設した時点において、すでに足場板３の上部で建物と反対側の側面に手摺り筋交い３１が先行して架設されているので、上位の足場板３に載って上方への組み立て作業を行うときの安全性を確保することができる。
【００５３】
両側の縦柱１間に取り付けた手摺り筋交い３１は、水平材３３が手摺りとなり、斜材３４が水平材３３と足場板３間の空間を斜めに遮蔽する筋交いとなり、足場板３上からの転落事故の発生を有効に防ぐことになる。
【００５４】
なお、上記した一側足場の解体手順は、上記組み立てと全く逆の工程を行うことによって実施することができる。
【００５５】
【発明の効果】
以上のように、この発明によると、縦柱を順次継ぎ足し、隣接する縦柱を所定の間隔に配置してその間に足場板を架設することによって組み立てる仮設構造物において、下階の足場板上で縦柱の継ぎ足しと、継ぎ足した縦柱間への手摺り筋交いの取り付けを、上階足場板の架設に先行して行なうようにしたので、足場板の上部側面に先行して安全手摺りを配置することができ、上階足場板上での支柱の継ぎ足しや手摺り筋交いの取り付け作業時にすでに上階足場板の上部周囲に、縦柱と安全手摺りが位置することになり、従って、高所作業となる足場板上での組み立て作業の安全性を縦柱と手摺り筋交いで確保でき、仮設構造物の組み立てが安全に行なえるようになる。
【００５６】
また、仮設構造物の構成部材である縦柱、手摺り筋交いは汎用性があり、既存の部材との組み合わせで多様な仮設構造物の構築が可能となり、構成部材の多目的利用によって種々の仮設構造物を構築することができる。
【００５７】
さらに、手摺り筋交いは、縦柱間への取付けと同時にロック化することができ、固定のための手間が省けると共に、手摺りとなる水平材と筋交いとなる斜材の二本の鋼管で形成したので、構成部品数を最小限に抑えることがてき、コスト的に安価となるだけでなく、軽量化と着脱時の操作性が良好となり、仮設構造物の構築や解体作業の短時間化が可能になる。
【図面の簡単な説明】
【図１】手摺り筋交いの第１の実施の形態を示す正面図
【図２】同上の手摺り筋交いを用いた仮設足場の組み立て工程の初期の状態を示す正面図
【図３】同上の手摺り筋交いを用いた仮設足場の組み立て工程の中間の状態を示す正面図
【図４】同上の手摺り筋交いを用いた仮設足場の組み立て工程の足場板架設状態を示す正面図
【図５】同上の手摺り筋交いの水平材と斜材の構造を示す分解斜視図
【図６】同上の手摺り筋交いの外接金具と結合具及び縦柱を示す分解斜視図
【図７】（Ａ）は同上の手摺り筋交いにおける水平材の一端側と縦柱の結合前の状態を示す一部切り欠き正面図、（Ｂ）は同結合状態を示す一部切り欠き正面図
【図８】（Ａ）は同上の手摺り筋交いにおける水平材の他端側と縦柱の結合前の状態を示す一部切り欠き正面図、（Ｂ）は同結合状態を示す一部切り欠き正面図
【図９】同上の手摺り筋交いにおける斜材の下端部と縦柱の結合状態を示す一部切り欠き正面図
【図１０】手摺り筋交いの第２の実施の形態を示す正面図
【図１１】同上の手摺り筋交いを用いた仮設足場の組み立て工程の初期の状態を示す正面図
【図１２】同上の手摺り筋交いを用いた仮設足場の組み立て工程の中間の状態を示す正面図
【図１３】同上の手摺り筋交いを用いた仮設足場の組み立て工程の足場板架設状態を示す正面図
【図１４】同上の手摺り筋交いの水平材と斜材の構造を示す分解斜視図
【図１５】同上の手摺り筋交いの外接金具と結合具及び縦柱を示す分解斜視図
【図１６】（Ａ）は同上の手摺り筋交いにおける水平材の一端側と縦柱の結合前の状態を示す正面図、（Ｂ）は同結合状態を示す正面図
【図１７】（Ａ）は同上の手摺り筋交いにおける水平材の他端側と縦柱の結合前の状態を示す正面図、（Ｂ）は同結合状態を示す正面図
【図１８】同上の手摺り筋交いにおける斜材の下端部と縦柱の結合状態を示す正面図
【符号の説明】
１    縦柱
２    手摺り筋交い
３    足場板
４    ジョイントパイプ
５    フランジ
６    孔
７    水平材
８    斜材
９    ピン
１０  接続部材
１１  係止フック
１２  挿入片
１３  切り欠き
１４  差し込み爪
１５  切り欠き
１６  凹欠部
１７  係止プレート
１８  抜け止め係合部
１９  外接金具
２０  結合具
２１  角孔
２２  凹溝
２３  プレート
２４  係止片
２５  下向片
２６  凹欠部
２７  頭部
２８  抜け止めピン
３１  手摺り筋交い
３２  ホルダー
３３  水平材
３４  斜材
３５  ピン
３６  係止部材
３７  係止部材
３８  外接金具
３９  結合具
４０  上孔
４１  係止片
４２  下向片
４３  凹欠部
４４  抜け止めピン
【図１】
0003851105.tif 000002
【図２】
0003851105.tif 000003
【図３】
0003851105.tif 000004
【図４】
0003851105.tif 000005
【図５】
0003851105.tif 000006
【図６】
0003851105.tif 000007
【図７】
0003851105.tif 000008
【図８】
0003851105.tif 000009
【図９】
0003851105.tif 000010
【図１０】
0003851105.tif 000011
【図１１】
0003851105.tif 000012
【図１２】
0003851105.tif 000013
【図１３】
0003851105.tif 000014
【図１４】
0003851105.tif 000015
【図１５】
0003851105.tif 000016
【図１６】
0003851105.tif 000017
【図１７】
0003851105.tif 000018
【図１８】
0003851105.tif 000019